(57)【要約】【課題】本発明は、ＵＳＢ転送プロトコルをサポートすると同時に、電子装置の内部に設置できるＵＳＢメモリ装置を提供することを目的とする。【解決手段】本発明のＵＳＢメモリ装置は、電子装置のメインボードと接続され、電源ピン及びデータピンを備えるＰＣＩＥインタフェースと、複数のＵＳＢフラッシュメモリと、複数のＵＳＢバスと、ＵＳＢ電源ピン、ＵＳＢデータピン及び複数のバスインタフェースを備える。ＵＳＢ電源ピンはデータピンと接続され、各バスインタフェースは、１つのＵＳＢバスを介して、１つのＵＳＢフラッシュメモリと接続されるＵＳＢ制御器と、ＰＣＩｅインタフェースの電源ピン及びＵＳＢ制御器のＵＳＢ電源ピンと接続される電源変換モジュールを備え、ＰＣＩｅインタフェースは、電子装置のメインボードから取得されたメインボードの電圧を対応する電圧に変換して、ＵＳＢ制御器に給電する。【選択図】図１
2014170531.tif 000002
【特許請求の範囲】
【請求項１】
電子装置と接続されるＵＳＢメモリ装置において、
前記ＵＳＢメモリ装置は、
前記電子装置の中のメインボードと接続され、電源ピン及びデータピンを備えるＰＣＩｅインタフェースと、
複数のＵＳＢフラッシュメモリと、
複数のＵＳＢバスと、
ＵＳＢ電源ピン、ＵＳＢデータピン及び複数のバスインタフェースを備え、前記ＵＳＢ電源ピンは、前記ＰＣＩｅインタフェースのデータピンと接続され、各前記バスインタフェースは、１つの前記ＵＳＢバスを介して、１つの前記ＵＳＢフラッシュメモリと接続されるＵＳＢ制御器と、
前記ＰＣＩｅインタフェースの電源ピン及び前記ＵＳＢ制御器のＵＳＢ電源ピンと接続される電源変換モジュールを備え、前記ＰＣＩｅインタフェースは、前記電子装置のメインボードから取得された前記メインボードの電圧を対応する電圧に変換して、前記ＵＳＢ制御器に給電することを特徴とするＵＳＢメモリ装置。
【請求項２】
前記ＵＳＢ制御器は、前記ＰＣＩｅインタフェースを介して、前記メインボードとＵＳＢ信号の伝送が行われ、且つチップセレクトの方式によって、対応する前記ＵＳＢバスと、１つの前記ＵＳＢフラッシュメモリを介して、データの伝送を行うことを特徴とする請求項１に記載のＵＳＢメモリ装置。
【請求項３】
前記ＵＳＢメモリ装置は、ＵＳＢ３．０のプロトコルをサポートすることを特徴とする請求項１又は２に記載のＵＳＢメモリ装置。
【請求項４】
前記電子装置は、Ｄｅｎｌｏｗシステムのプラットフォームが採用されていることを特徴とする請求項１〜３のいずれか一項に記載のＵＳＢメモリ装置。
【請求項５】
前記電子装置は、デスクトップコンピュータ、ノート型コンピュータ及びタブレットの中のいずれか１つの電子装置であることを特徴とする請求項１〜４のいずれか一項に記載のＵＳＢメモリ装置。
【請求項６】
前記電子装置は、デジタルフォトフレーム、電子ペーパー、携帯電話及びデジタルカメラの中のいずれか１つの電子装置であることを特徴とする請求項１〜４のいずれか一項に記載のＵＳＢメモリ装置。
【発明の詳細な説明】
【技術分野】
【０００１】
本発明は、メモリ装置に関し、特にＵＳＢ転送プロトコルをサポートすると同時に電子装置の内部に設置できるＵＳＢメモリ装置に関するものである。
【背景技術】
【０００２】
現在、ＵＳＢインタフェースが設置されている携帯型メモリ装置がよく使用されている。ＵＳＢプロトコルの発展に伴い、例えば、ＵＳＢ３．０等のプロトコルの応用によって、携帯型メモリ装置のデータを読み取る速度は大幅に向上している。これにより、多くの人々が直接携帯型メモリ装置をハードディスクとして使用している。しかし、現在の携帯型メモリ装置のメモリ容量には制限があるため、大量のデータの保存ができない。また、現在の携帯型メモリ装置は、パソコン等の電子装置のＵＳＢインタフェースと接続されるので、外観に影響を与え、且つ容易に抜きとられるため不便である。
【発明の概要】
【発明が解決しようとする課題】
【０００３】
以上の問題点に鑑みて、本発明は、ＵＳＢ転送プロトコルをサポートすると同時に、電子装置の内部に設置できるＵＳＢメモリ装置を提供することを目的とする。
【課題を解決するための手段】
【０００４】
上記の課題を解決するために、本発明のＵＳＢメモリ装置は、電子装置と接続され、前記電子装置の中のメインボードと接続され、電源ピン及びデータピンを備えるＰＣＩｅインタフェースと、複数のＵＳＢフラッシュメモリと、複数のＵＳＢバスと、ＵＳＢ電源ピン、ＵＳＢデータピン及び複数のバスインタフェースを備える。前記ＵＳＢ電源ピンは、前記ＰＣＩｅインタフェースのデータピンと接続され、各前記バスインタフェースは、１つの前記ＵＳＢバスを介して、１つの前記ＵＳＢフラッシュメモリと接続されるＵＳＢ制御器と、前記ＰＣＩｅインタフェースの電源ピン及び前記ＵＳＢ制御器のＵＳＢ電源ピンと接続される電源変換モジュールと、を備え、前記ＰＣＩｅインタフェースは、前記電子装置のメインボードから取得された前記メインボードの電圧を対応する電圧に変換して、前記ＵＳＢ制御器に給電する。
【発明の効果】
【０００５】
本発明のＵＳＢメモリ装置は、電子装置内部のメインボードに設置して接続されて、電子装置のハードディスクとして使用でき、且つ複数のＵＳＢフラッシュメモリを備えるため、メモリ容量を拡張できる。
【図面の簡単な説明】
【０００６】
【図１】本発明に係るＵＳＢメモリ装置の機能モジュールの構造図である。
【発明を実施するための形態】
【０００７】
以下、図面に基づいて、本発明に係るＵＳＢメモリ装置について詳細に説明する。図１に示したように、ＵＳＢメモリ装置１００は、ＰＣＩｅインタフェース１０、ＵＳＢ制御器２０、電源変換モジュール３０、複数のＵＳＢフラッシュメモリ４０及び複数のＵＳＢバス５０を備える。
【０００８】
ＰＣＩｅインタフェース１０は、電子装置２００中のメインボード２０１との接続に用いられる。これにより、ＵＳＢメモリ装置１００はＰＣＩｅインタフェース１０を介して、電子装置２００の内部のメインボード２０１に挿し込み接続される。ＰＣＩｅインタフェース１０は、電源ピン１１及びデータピン１２を備える。ＵＳＢ制御器２０は、ＵＳＢ電源ピン２１、ＵＳＢデータピン２２及び複数のバスインタフェース２３を備える。電源変換モジュール３０は、ＰＣＩｅインタフェース１０の電源ピン１１と、ＵＳＢ制御器２０のＵＳＢ電源ピン２１とに接続され、ＰＣＩｅインタフェース１０は、電子装置２００のメインボード２０１から取得されたメインボード２０１の電圧を対応する電圧に変換して、ＵＳＢ制御器２０に給電する。ＵＳＢ制御器２０のＵＳＢデータピン２２は、ＰＣＩｅインタフェース１０のデータピン１２に接続される。複数のバスインタフェース２３は、各ＵＳＢバスを介して、複数のＵＳＢフラッシュメモリ４０にそれぞれ接続される。
【０００９】
ＰＣＩｅインタフェース１０及び一般のＵＳＢ伝送線がそれぞれ伝送した信号は、差動信号であり、互いに共用することができるため、ＵＳＢ制御器２０は、ＰＣＩｅインタフェース１０を介して、メインボード２０１とＵＳＢ信号の伝送を行う。
【００１０】
ＵＳＢ制御器２０は、チップセレクトの方式によって、対応するＵＳＢバス５０を介して、１つのＵＳＢフラッシュメモリ４０とデータ伝送を行い、且つＰＣＩｅインタフェース１０を介して、メインボード２０１とＵＳＢ信号の伝送を行う。故に、ＵＳＢメモリ装置１００中の複数のＵＳＢフラッシュメモリ４０は、電子装置２００によって識別され、且つデータを読み取る。
【００１１】
本実施形態において、ＵＳＢメモリ装置１００は、ＵＳＢ３．０のプロトコルをサポートする。
【００１２】
本発明のＵＳＢメモリ装置１００は、複数のＵＳＢフラッシュメモリ４０を備えているため、メモリ容量を極大に拡張でき、且つＰＣＩｅインタフェース１０を介して、直接電子装置２００の内部のメインボード２０１と接続されて、電子装置２００とＵＳＢデータの伝送を行う。また、挿し込み及び抜き取りが可能であり、電子装置２００の内部に設置されるため外部空間を占有せず、安定的に接続されて、電子装置２００の固態ハードディスクとして使用することができる。また、ＵＳＢメモリ装置１００は、ＵＳＢ３．０のプロトコルをサポートするため、データ伝送の速度は大幅に向上する。
【００１３】
本実施形態において、電子装置２００は、Ｄｅｎｌｏｗシステムプラットフォームを採用する。即ち電子装置２００は、次世代のＤｅｓｋｔｏｐシステムプラットフォームを採用した電子装置であり、ＤｅｎｌｏｗシステムプラットフォームのＬｙｎｘ  Ｐｏｉｎｔプラットフォームは、チップを処理してＵＳＢ３．０の技術を集積しているため、特定のバスによって、ＰＣＩＥ２．０信号或いはＵＳＢ３．０信号を伝送できる。従って、ＢＩＯＳの中だけで設定を行えば良い。
【００１４】
また、電子装置２００は、デスクトップコンピュータ、ノート型コンピュータ、タブレット等のコンピュータであるが、デジタルフォトフレーム、電子ペーパー、携帯電話、デジタルカメラ等の回路基板にＰＣＩｅインタフェース１０が設置されている電子装置２００であっても良い。
【符号の説明】
【００１５】
１００  ＵＳＢメモリ装置
１０  ＰＣＩｅインタフェース
１１  電源ピン
１２  データピン
２００  電子装置
２０１  メインボード
２０  ＵＳＢ制御器
２１  ＵＳＢ電源ピン
２２  ＵＳＢデータピン
２３  バスインタフェース
３０  電源変換モジュール
４０  ＵＳＢフラッシュメモリ
５０  ＵＳＢバス
【図１】
2014170531.tif 000003